(57)【特許請求の範囲】
【請求項１】
中折りまたは中綴じされた冊子に挿入紙を挿入可能な製本装置において、
前記冊子のサイズ情報と前記挿入紙のサイズ情報を比較した結果に基づき、前記挿入紙挿入後の制御を、前記挿入紙のサイズを基準とする挿入紙サイズモードと前記冊子のサイズを基準とする冊子サイズモードとのいずれかを選択して行う制御部を備えることを特徴とする製本装置。
【請求項２】
前記制御部は、前記挿入紙のサイズ情報におけるサイズが前記冊子のサイズ情報におけるサイズ以上の場合、前記挿入紙サイズモードを選択して前記挿入紙挿入後の制御を行うことを特徴とする請求項１記載の製本装置。
【請求項３】
前記制御部は、前記挿入紙のサイズ情報におけるサイズが前記冊子のサイズ情報におけるサイズ未満の場合、前記冊子サイズモードを選択して前記挿入紙挿入後の制御を行うことを特徴とする請求項１記載の製本装置。
【請求項４】
前記冊子のサイズ情報におけるサイズが、該冊子を断裁した後のサイズであることを特徴とする請求項１〜３のいずれか１項に記載の製本装置。
【請求項５】
前記挿入紙のサイズ情報におけるサイズが、挿入紙の実寸または該実寸を所定量短くしたものであることを特徴とする請求項１〜４のいずれか１項に記載の製本装置。
【請求項６】
前記制御部は、前記挿入紙のサイズ情報におけるサイズが前記冊子のサイズ情報におけるサイズ以上の場合、警告又は／及び前記挿入紙挿入後の製本処理を制限する制御を行うことを特徴とする請求項１〜５のいずれか１項に記載の製本装置。
【請求項７】
操作入力を受け付ける操作部を備え、
前記制御部は、前記挿入紙のサイズ情報におけるサイズが前記冊子のサイズ情報におけるサイズ未満の場合、前記操作部を通して前記挿入紙挿入後の製本処理を実行するか否かを選択可能にする制御を行うことを特徴とする請求項１〜６のいずれか１項に記載の製本装置。
【請求項８】
前記製本処理が、前記挿入紙挿入後の断裁処理であることを特徴とする請求項６または７に記載の製本装置。
【請求項９】
前記製本処理の制限が、少なくとも、前記挿入紙のサイズ情報におけるサイズが前記冊子のサイズ情報におけるサイズ以上となる辺側の断裁の禁止であることを特徴とする請求項８記載の製本装置。
【発明の詳細な説明】
【技術分野】
【０００１】
この発明は、中折り、または中綴じされた冊子に挿入紙を挿入することができる製本装置に関するものである。
【背景技術】
【０００２】
中折りまたは中綴じされた冊子に挿入紙を挿入する技術は既に知られている（例えば特許文献１、２）。
特許文献１に記載されたものでは、丁合機から送り出される枚葉紙を、折り筋プーリーにより頁間に谷形の折り筋が設けられるようなＶ字形で搬送し、搬送の途中で互いに糊付けにより中綴じし、最後に半ペラ紙を、折り筋プーリーの側方に配置した半ペラ紙送りプーリーによって、枚葉紙の傾斜角度と同じ傾斜角度で搬送した後に、Ｖ字形に開いた枚葉紙の頁間に落とし込み挿入する。すなわち、この発明は、糊付け冊子に挿入紙を挿入する方法に関するものであり、挿入紙のサイズは冊子サイズ以下を前提としている。
また、特許文献２に記載されたものでは、積層状態にストックされた多数の用紙の中央部を折り、折り目に沿ってステープル止めする中綴じステープラ搭載フィニッシャにおいて、上記各用紙の中央部を折りローラの間に押し込んで折り目を付けた後、折り目のついた用紙をＶ字形の用紙受けにＶ字形で順次落下させて積層させ、積層状態にストックされた用紙の折り目に沿ってステープルで綴じる。この発明は、中綴じ冊子をＶ字型に見開いた状態とするものであり、Ｖ字型に見開いた冊子に挿入紙を落とし込む手法を用いれば、冊子に対して大サイズの挿入紙を挿入することも可能である。
【先行技術文献】
【特許文献】
【０００３】
【特許文献１】特開２００５−１６９７２７号公報
【特許文献２】特開２０１０−１５０００２号公報
【発明の概要】
【発明が解決しようとする課題】
【０００４】
しかし、前記特許文献２の技術などを利用して冊子に対して大サイズの挿入紙を挿入した場合、後の処理（例：断裁処理）を通常通りに実施してしまうと、挿入紙が大きく断裁されてしまい、冊子の品位を低下させ、最悪の場合、冊子を損傷してしまうおそれがある。また、挿入前後で冊子全体のサイズが異なる状態となるため、各種搬送タイミングを変更しないと、制御が破綻してＪＡＭにつながるおそれもある。
【０００５】
本発明は、上記事情を背景としてなされたものであり、冊子に挿入する挿入紙のサイズに応じて、挿入紙挿入後の制御を実行することができる製本装置を提供することを目的とする。
【課題を解決するための手段】
【０００６】
すなわち、本発明の製本装置は、中折りまたは中綴じされた冊子に挿入紙を挿入可能な製本装置において、前記冊子のサイズ情報と前記挿入紙のサイズ情報を比較した結果に基づき、前記挿入紙挿入後の制御を、前記挿入紙のサイズを基準とする挿入紙サイズモードと前記冊子のサイズを基準とする冊子サイズモードとのいずれかを選択して行う制御部を備えることを特徴とする。
【０００７】
上記冊子のサイズ情報におけるサイズは、冊子の断裁を行う場合、冊子を挿入紙挿入後に断裁する際の断裁後のサイズとすることができる。これにより製本処理として冊子を断裁した後を基準にして、制御内容を変えることができる。
また、前記挿入紙のサイズ情報におけるサイズは、挿入紙の実寸とすることができ、また、挿入紙の実寸よりも所定量短いサイズとすることもできる。断裁量によっては、挿入紙の断裁が許容される場合もあり、許容される所定量を定めて実寸よりも短いサイズを挿入紙のサイズ情報のサイズとして設定することができる。実寸のサイズとするか、または実寸よりも短いサイズとするかの選択や、実寸よりも短いサイズとする際の所定量は、予め初期設定として定めておくことができ、また、操作者が許容量や前記選択を設定変更できるようにしてもよい。該設定変更は、制御部によって制御される操作部を通して行われる。
【０００８】
挿入紙挿入後の制御を、挿入紙サイズモードと冊子サイズモードのいずれを選択するかは、前記冊子のサイズ情報におけるサイズと前記挿入紙のサイズ情報におけるサイズの大小比較によって行うことができる。
すなわち、前記挿入紙のサイズ情報におけるサイズが前記冊子のサイズ情報におけるサイズ以上の場合、前記挿入紙サイズモードを選択して前記挿入紙挿入後の制御を行うようにできる。
一方、前記挿入紙のサイズ情報におけるサイズが前記冊子のサイズ情報におけるサイズ未満の場合、前記冊子サイズモードを選択して、前記挿入紙挿入後の制御を行うようにできる。
【０００９】
上記挿入紙挿入後の制御は制御部によって行われる。制御部は、ＣＰＵとこれを動作させるプログラムとを主にして構成される。制御部は、製本装置本体内に備えるものであってもよく、また、製本装置本体に接続された画像形成装置などに備えられるものであってもよく、また、製本装置本体にネットワークで接続された外部機器などに備えられるものであってもよい。
【００１０】
冊子サイズモードでは、挿入紙挿入後の制御は通常通り行うことができ、これによる問題発生は格別ない。例えば、挿入紙挿入前後での冊子のサイズ変動はないか、あっても無視できる程度であり、搬送上の不具合発生はないと言える。また、所定の断裁量で冊子を断裁するなどの製本処理を行うことができ、冊子の損傷も生じない。
また、前記挿入紙のサイズ情報におけるサイズが前記冊子のサイズ情報におけるサイズ未満の場合でも、前記挿入紙挿入後の製本処理を実行するか否かを選択可能にすることができる。選択操作は、製本装置に備える操作部や、製本装置に接続された画像形成装置の操作部や製本装置にネットワークで接続された外部機器の操作部などを通して行うことができる。
【００１１】
一方、前記挿入紙のサイズ情報におけるサイズが前記冊子のサイズ情報におけるサイズ以上の場合には、冊子サイズを基準にして制御を実行すると、挿入紙挿入前後における冊子のサイズ変動が大きく、冊子搬送上の不具合が発生したり、冊子の品位が低下したり損傷が生じやすくなったりする。このため上記サイズの関係の場合、挿入紙挿入後には、挿入紙サイズを考慮した挿入紙サイズモードでの制御がなされる。
例えば、上記挿入紙サイズモードの制御に際し、挿入紙挿入後の搬送で、挿入紙サイズを基準にした搬送を行うことが挙げられる。一例として冊子に挿入紙を挿入した後、冊子や挿入紙のサイズに応じたＪＡＭ検知までの時間を再設定することで、不要なＪＡＭ発生を防止できる。
また、上記挿入紙サイズモードの制御に際し、前記挿入紙のサイズ情報におけるサイズが前記冊子のサイズ情報におけるサイズ以上の場合、警告を行うようにしてもよい。該警告は、製本装置に備える表示部や、製本装置に接続された画像形成装置の表示部や製本装置にネットワークで接続された外部機器の表示部などを通して行うことができる。
さらに、上記挿入紙サイズモードの制御に際し、前記挿入紙挿入後の製本処理を制限する制御を行うものが例示される。
製本処理としては、挿入紙挿入後の断裁を挙げることができる。製本処理の制限としては、少なくとも、前記挿入紙のサイズ情報におけるサイズが前記折丁または前記冊子のサイズ情報におけるサイズ以上となる辺側の断裁の禁止が挙げられる。断裁を制限することで、挿入紙の必要部分を断裁してしまうのを防止できる。
【発明の効果】
【００１２】
以上説明したように、本発明によれば、中折りまたは中綴じされた冊子のサイズ情報と挿入紙のサイズ情報を比較した結果に基づいて、挿入紙挿入後の制御を選択するので、冊子のサイズと挿入紙のサイズとの関係に応じた制御が選択され、冊子等の排紙に至るまでの一連の処理を適正に行うことができる。
【図面の簡単な説明】
【００１３】
【図１】本発明の一実施形態の製本装置を有する製本システムを示す概略図である。
【図２】同じく、中綴じ製本装置の正面図である。
【図３】同じく、中綴じ製本装置の中折り、中綴じ処理工程の用紙搬送を示す模式図である。
【図４】同じく、冊子取り出し機構およびその揺動工程を示す正面図である。
【図５】同じく、支持部材の部分拡大斜視図である。
【図６】同じく、冊子の挿入紙挿入、排紙に至る工程を示す概略図である。
【図７】同じく、操作部操作画面の例を示す図である。
【図８】同じく、中綴じ製本の制御手順を示すフローチャートである。
【図９】同じく、冊子への挿入紙の挿入状態を示す図である。
【発明を実施するための形態】
【００１４】
以下に、本発明の一実施形態を添付図面に基づいて説明する。
図１は、画像形成装置Ａと、挿入紙トレイを備える中継装置Ｂと、中綴じ製本機Ｃとが接続された製本システムを示すものである。中綴じ製本機Ｃは後述する制御部４とともに本発明の製本装置を構成する。
画像形成装置Ａは、央部に画像形成部１、下部に用紙給紙部２を有しており、上部側には、表示部を兼ねた操作部３が設けられている。操作部３は、ＬＣＤの表示画面上にタッチパネルを重ねた構造で、表示画面の表示を見ながらタッチパネルを押すことにより各種設定や操作の入力を行うことができる。
【００１５】
用紙給紙部２は、複数段の給紙トレイ（図では１段のみを図示）を有する。用紙は、用紙給紙部２から供給され、画像形成部１において、この用紙に、電子写真プロセスによりトナー像が転写され、転写された画像は定着装置によって定着される。定着後の用紙は、中継装置Ｂに排出される。制御部４は、画像形成装置Ａ全体を制御するものであり、ＣＰＵとこれを制御するプログラム、ＲＡＭ、ＲＯＭなどによって構成される。
【００１６】
中継装置Ｂは、上部に、挿入紙を収納する２つの挿入紙トレイ５、６を備え、用紙の搬送路７と搬送路８を有している。挿入が指定された際には、挿入紙トレイ５、６の挿入紙を搬送路７および搬送路８の一部を通して中綴じ製本機Ｃに給紙し、中綴じが指定される際には、画像形成装置Ａで画像形成された用紙が中継装置Ｂの搬送路８を介して中綴じ製本機Ｃに搬送される。中継装置Ｂは、前記制御部４によって制御される。
【００１７】
中綴じ製本機Ｃは、用紙の折り機構と、中折りされた用紙の中綴じ機構と、前記挿入紙を中綴じされた冊子に挿入する挿入機構を備えており、前記制御部４の制御を受ける。  該中綴じ製本機Ｃの詳細を以下に説明する。
図２は中綴じ製本機Ｃの中折り、中綴じ処理工程の用紙搬送を示す模式図である。
【００１８】
用紙導入から折り処理前迄の用紙搬送工程を説明する。
図２ 、図３ に示すように、画像形成装置Ａから排出された用紙Ｓは、中継装置Ｂを介して中綴じ製本機Ｃの入口部１１に導入されると、入口ローラ１２により挟持され、搬送路切換手段Ｇ１の上方の搬送路ｒ１又は下方の搬送路ｒ２の何れかに搬送される。
【００１９】
〈ストレート排紙〉
搬送路ｒ１に分岐された用紙Ｓは、搬送ローラ１３Ａ〜１３Ｅにより挟持されて搬送され、搬送路切換手段Ｇ２の上方の搬送路ｒ３又は下方の搬送路ｒ４の何れかに搬送される。
上方の搬送路ｒ３に進行した用紙Ｓは、排紙ローラ１４によって排出され、中綴じ製本機Ｃの上部に配置されたサブ排紙トレイ１５上に積載される。
下方の搬送路ｒ４に進行した用紙Ｓは、搬送ローラ１６Ａ〜１６Ｄにより挟持されて搬送される。搬送路ｒ４の中途には下方に向けた挿入紙搬送路ｒ１０が分岐しており、図示しない搬送路切換手段によって搬送路ｒ４と挿入紙搬送路ｒ１０との切換が可能になっている。搬送路ｒ４によって搬送される用紙は排紙ローラ１７によって排出される。
【００２０】
〈第１直角偏向搬送〉
搬送路切換手段Ｇ１の下方の搬送路ｒ２に搬送された用紙Ｓは、ほぼ垂直に下降し、所定位置に一時停止して収納される。この停止位置において、後続の複数枚の用紙Ｓが重ね合わせられて収容される。
【００２１】
〈第２直角偏向搬送〉
収容された用紙Ｓは、搬送ローラ１８Ａ〜１８Ｄと図示しない案内板によって図２の紙面に対して直角手前方向に偏向移動されて、中綴じ製本機Ｃ内部の前面側に回り込む搬送路ｒ５を用紙面を直立させた状態で通過し、所定位置に一時停止する。
【００２２】
〈第３直角偏向搬送〉
次に、用紙Ｓは搬送ローラ１８Ｅによって垂直上方に搬送された後、水平方向に偏向され、搬送整合ベルト、搬送ローラ１９によって整合手段に向けて移動される（搬送路ｒ６）。
【００２３】
〈折り処理前の整合〉
整合機構は、搬送路ｒ６の用紙搬送方向下流側に配置され、搬送される用紙Ｓの整合を行う。
【００２４】
次に、中綴じ製本機Ｃにおける用紙Ｓの中折り処理、中綴じ処理、冊子の小口断裁処理を具体的に説明する。
【００２５】
〈中折り処理〉
搬送整合ベルト１９の用紙搬送方向下流側には、折り機構３０が配置されている。
折り機構３０ に到達した１枚又は複数枚の用紙Ｓは、互いに逆方向に回転する折りローラ（図示しない）及び直進する折り板（図示しない）によって挟持されて中折り処理が行われ、用紙搬送方向中央で用紙幅方向にわたって折り目部を形成した折丁ＳＡが形成される。折り目部ａを形成した折丁ＳＡは、元の水平搬送路に戻され、引き続き、後述の搬送手段４０の搬送ベルト４１、搬送爪４２及び折丁ガイド手段５０の導入ガイド部材５１によって、折り目部ａの延長線方向（ 図３参照）の搬送路ｒ７に搬送され、中綴じ機構６０に送り込まれる。
【００２６】
このように、折り機構３０は、１乃至３枚の少数枚の用紙Ｓを中折り処理して、折り目部ａをしっかり付け、逐次、中綴じ機構６０に送り込むことにより、折り目部ａの膨らみが少ない高品位の冊子（製本物）ＳＢを作製することができる。
【００２７】
〈中綴じ処理〉
折り機構３０において中折り処理された折丁ＳＡは、搬送手段４０によって、搬送路ｒ７方向に進行し、図４に示すように、中綴じ機構６０の鞍掛集積手段６１上に載置される。後続の中折り処理された折丁ＳＡも引き続き搬送路ｒ７を通過して鞍掛集積手段６１上に積載される。
鞍掛集積手段６１は、ほぼ直交する２枚のガイド板から成り、装置本体に固定されている。鞍掛集積手段６１の頂部近傍には、バネ付勢されて昇降可能な押圧部材６１Ａが受針機構６４に支持された状態で配置されている（図５参照）。
押圧部材６１Ａの頂部は、上方にほぼ直角な凸形状をなし、その頂部稜線上に中折り処理された折丁ＳＡの折り目部ａ（図４参照）が載置される。
【００２８】
鞍掛集積手段６１及び押圧部材６１Ａ上に載置された複数枚の折丁ＳＡは、図示しない幅整合手段によって位置揃えされる。
押圧部材６１Ａ の上方には、打針機構６３が固定配置されている。鞍掛集積手段６１の内部には、押圧部材６１Ａと受針機構６４が上下方向に移動可能に支持されている。
打針機構６３と受針機構６４とから成る二分割構造の綴じ機構は、用紙折り目部方向に２組配置されている。操作部３において、中綴じ処理が設定されると、受針機構６４が上昇して中綴じ処理を行う。即ち、２組の綴じ機構は押圧部材６１Ａ上の折丁ＳＡの折り目部ａに沿って、中央振り分け２箇所に綴じ針ＳＰを打針する（図３参照）。中折り処理、中綴じ処理された冊子ＳＢを図３の模式図に示す。
【００２９】
〈冊子の取り出し〉
中綴じ機構６０において中綴じ処理された冊子ＳＢは、図４に示すように、後述の冊子取り出し機構７０に保持されて一点鎖線矢印方向に揺動されて挿入紙挿入位置に搬送される。
［冊子取り出し機構］
以下、中綴じ処理されて作製された冊子ＳＢを鞍掛集積手段６１から取り出して挿入紙挿入位置に送る冊子取り出し機構７０の詳細について、図４、５を用いて説明する。
図４は、冊子取り出し機構７０の揺動工程を示す正面図である。図５は支持部材７２の部分拡大斜視図である。
【００３０】
冊子取り出し機構７０は、積載された折丁ＳＡが所定枚数に達した後、綴じ処理されて作製された冊子ＳＢを鞍掛集積手段６１から取り出す機能を有し、揺動手段、冊子支持手段、直線移動手段から構成されている。
【００３１】
揺動手段は揺動可能な一対のアーム部材７１とアーム部材７１の揺動軸７３を駆動する駆動手段とから構成されている。冊子支持手段はアーム部材７１の先端部に固定され冊子ＳＢの折り目部ａの両端部近傍を支持する支持部材７２及び可撓性部材７４から構成されている。直線移動手段は支持部材７２を有するアーム部材７１を冊子幅方向に直線往復移動させる。従って、支持部材７２を有するアーム部材７１は、揺動運動と直線移動とを行う。
アーム部材７１は、アーム部材７１の基部に固定した揺動軸７３により揺動可能に支持されている。アーム部材７１は図示しない駆動源に接続して揺動し、初期位置Ｔ１から揺動を開始して鞍掛集積手段６１に到達後、鞍掛集積手段６１上に載置された冊子ＳＢを取り出して揺動させ、鞍掛集積手段６１の外部に移送させる。アーム部材７１は、冊子ＳＢの折り目部長さに応じて折り目部方向に移動可能である。
【００３２】
アーム部材７１の先端部に固定された支持部材７２は、図５に示すように、第１壁部７２Ｐ１、第２壁部７２Ｐ２、第３壁部７２Ｐ３から成るコの字形状をなす。第１壁部７２Ｐ１の頂部は、冊子ＳＢの折り目部の内面に当接して冊子ＳＢを支持する。第２壁部７２Ｐ２は、冊子ＳＢの側縁に当接する。第３壁部７２Ｐ３は、冊子ＳＢの平面の両端部近傍に当接する。第３壁部７２Ｐ３には可撓性部材７４が貼着されている。
【００３３】
〈直線移動手段〉
冊子取り出し機構７０は、冊子ＳＢの折り目部ａの方向に沿って、一対の支持部材７２を、冊子ＳＢを支持する冊子保持位置と冊子ＳＢの側端部から離間した初期位置との間を移動させる機能を有する。
【００３４】
〈揺動手段〉
アーム部材７１の基部に固定された一対の揺動軸７３は一対の移動体７５に回転可能に支持されている。アーム部材７１の中間部に植設された駆動軸７６は、図示しない駆動手段に接続して、揺動軸７３を中心にした円弧運動をして、揺動軸７３を揺動させる。揺動軸７３の揺動によりアーム部材７１は、図４に示すように、初期位置Ｔ１から中間位置Ｔ２を経て冊子取り出し位置Ｔ３、すなわち挿入紙挿入位置に至る約９０度の往復揺動を行う。
【００３５】
〈挿入紙挿入工程〉
上記揺動位置の最終端で、支持部材７２をアーム部材７１に対し回転させることで冊子ＳＢが支持部材７２で支持されている側と支持部材７２で支持されていない側とでＶ字状に開く。支持部材７２で指示されていない側をクリップ部７７で支持板７８側に押圧することで冊子ＳＢを開いた状態に保持する。この冊子ＳＢに対し、挿入紙搬送路ｒ１０で搬送される挿入紙を落とし込んで冊子ＳＢに挿入紙Ｉを挿入する。すなわち、冊子取り出し機構７０および挿入紙搬送路ｒ１０は、挿入紙挿入機構として機能する。
【００３６】
〈冊子取り出し工程〉
支持部材７２は挿入紙Ｉを挿入した後、冊子ＳＢの幅方向の両側縁から離間した位置に退避して、搬送路ｒ１１上に冊子ＳＢを排出する。
〈冊子の搬送〉
冊子ＳＢは、斜め下方に搬送され、更に、傾斜状態に保持されて、所定位置に停止され、その後、水平状態に支持される。
【００３７】
〈冊子断裁処理〉
水平状態になった冊子ＳＢの小口（ 折り目部の反対側の自由端部）は、冊子ＳＢの用紙枚数によって不揃いになっているので、制御部４の指示に従って小口断裁装置９０により断裁して、小口を揃える。
【００３８】
断裁処理されて作製された冊子ＳＢは、中綴じ製本装置Ｃの外方に配置された排紙トレイ８６に排出される。なお、断裁を行わない冊子は、上記小口断裁装置９０による断裁を行うことなく排紙トレイ８６に排紙される。
上記により中綴じされた冊子ＳＢに挿入紙Ｉを挿入することができる。図６は、冊子ＳＢに対する挿入紙Ｉの挿入工程を簡略に示すものである。中綴じされた冊子ＳＢ（図６（ａ））は、上方に開口した状態に姿勢を変え、上方から下方に向けて挿入紙Ｉが挿入される（図６（ｂ））。これを搬送して断裁することで、挿入紙Ｉが挿入された小口裁断の冊子が得られる（図６（ｃ））。
なお、本実施の形態では、複数枚の折丁ＳＡに対して中綴じ処理を施したが、中綴じ処理を行わずに中折り処理のみの冊子に挿入紙を挿入して排紙することも可能である。
【００３９】
なお、上記システムでは、中綴じ製本機Ｃの機能において、中綴じ処理、挿入紙処理、冊子の断裁処理をそれぞれ選択することが可能になっている。
図７（ａ）（ｂ）（ｃ）は、操作部３に表示された操作画面３００を示すものである。図７（ａ）は、中綴じ釦３０１、挿入紙釦３０２が押釦可能に表示されている。図７（ｂ）は、中綴じ処理および挿入紙処理が選択された場合に、断裁が禁止された操作画面３００を示すものであり、断裁釦が非表示になっている。これにより断裁の選択は不可になる。
図７（ｃ）は、中綴じ処理および挿入紙処理が選択された場合に、断裁処理の選択が可能になった操作画面３００を示すものであり、断裁釦３０３が押釦可能に表示されている。したがって、この操作画面によって断裁を行うか否かの選択を行うことができる。
【００４０】
次に、上記システムで中綴じ製本を行う際の制御手順を図８のフローチャートに基づいて説明する。なお、以下の手順は、制御部４の制御によって実行される。
【００４１】
操作部３の操作画面３００において、前記中綴じ処理釦３０１が押釦されて実行指示がなされると、中綴じ製本条件の入力手順が開始される。該手順では、完成冊子サイズの入力が要求される。操作者は、該要求に従って、完成冊子サイズを入力する（ステップｓ１）。予めデフォルトでサイズが設定されている場合、該サイズが所望のサイズであれば、完成冊子サイズを入力することなく、処理を続行することができる。
次いで、挿入紙があるか否かの判定がなされる（ステップｓ２）。挿入紙があるか否かは、操作者が前記挿入紙釦３０２を押釦しているか否か、または初期設定の設定内容による。
【００４２】
挿入紙がなければ（ステップｓ２、Ｎｏ）、断裁処理が選択されているか否かの判定がなされる（ステップｓ１６）。断裁処理の選択は、前記したように操作画面３００に表示された断裁釦３０３の押釦がされているか否か、または初期設定の設定内容による。
断裁処理が選択されていれば（ステップｓ１６、Ｙｅｓ）、中綴じ製本条件の入力終了（ステップｓ１７）に従って、中綴じ製本モードがスタートし（ステップｓ１８）、中綴じ後、断裁処理が実施され（ステップｓ１９）、処理手順が終了する。なお、中綴じ製本条件の入力、中綴じ製本モードのスタート指示は、前記操作部３を通して操作者が操作入力することができる。
また、挿入紙なしで断裁処理が選択されていない場合（ステップｓ１６、Ｎｏ）、上記と同様に、中綴じ製本条件の入力終了後（ステップｓ２０）、中綴じ製本モードがスタートし（ステップｓ２１）、断裁を行うことなく処理を終了する。
【００４３】
一方、挿入紙がある場合（ステップｓ２、Ｙｅｓ）、挿入紙サイズ情報におけるサイズと冊子サイズ情報におけるサイズとが比較され、挿入紙サイズが冊子サイズ以上であるか否かの判定がなされる（ステップｓ３）。すなわち、図９に示すように、挿入紙Ｉが、冊子ＳＢ未満のサイズである状態か（図９（ａ））、挿入紙Ｉが、冊子ＳＢ以上のサイズを有している状態か（図９（ｂ））が判定される。
【００４４】
これらサイズは、制御部３に格納されている用紙サイズ情報などに基づいて決定することができる。例えば、冊子となる用紙のサイズが判明している場合、中綴じによって冊子のサイズが用紙の半分になることから冊子サイズを算出することができる。また、冊子の断裁が予定されている場合は、断裁後の冊子サイズを用いるようにしてもよい。
また、挿入紙のサイズ情報におけるサイズは、挿入紙の用紙情報による実寸を用いることができる。また、挿入紙の断裁を所定量まで許容される場合、挿入紙の実寸から許容量を差し引いたサイズを上記比較に用いるようにしてもよい。許容量は、制御部４の記憶部に格納しておき、これを必要に応じて読み出してもよく、また、操作部３を通して操作者が入力するものであってもよい。
上記サイズの比較の結果、挿入紙サイズが冊子サイズ以上である場合（ステップｓ３、Ｙｅｓ）、製本処理の禁止として断裁処理を禁止する（ステップｓ４）。断裁処理の禁止は、例えば、図７（ｂ）に示すように、操作画面３００において、断裁釦を非表示にして選択不可にすることにより行うことができる。また、挿入紙サイズが冊子サイズ以上である場合に、操作部３に警告を表示するようにしてもよい。
【００４５】
次いで、中綴じ製本条件の入力終了を待って（ステップｓ５）、中綴じ製本モードをスタートする（ステップｓ６）。これにより、中綴じされた冊子が得られるとともに、冊子への挿入紙の挿入がなされる。
挿入紙挿入後は、挿入紙サイズ条件、すなわち挿入紙サイズモードで制御が行われ（ステップｓ７）、搬送条件が挿入紙サイズ基準で行われるなどして、処理を終了する。
【００４６】
一方、挿入紙サイズと冊子サイズの比較において、挿入紙サイズが冊子サイズ未満である場合（ステップｓ３、Ｎｏ）、断裁処理は禁止されておらず、断裁処理が選択されているか否かの判定がなされる（ステップｓ８）。断裁処理が選択されていれば（ステップｓ８、Ｙｅｓ）、中綴じ製本条件の入力終了を待って（ステップｓ９）、中綴じ製本モードをスタートし（ステップｓ１０）、中綴じされた冊子が得られるとともに、冊子への挿入紙の挿入がなされる。挿入紙挿入後は、冊子サイズ条件、すなわち冊子サイズモードで制御が行われ（ステップｓ１１）、搬送条件が冊子サイズ基準で行われるなどする。次いで、挿入紙を挿入した状態の冊子の断裁処理が実施され（ステップｓ１２）、処理を終了する。
【００４７】
また、上記で断裁処理が選択されていない場合（ステップｓ８、Ｎｏ）、中綴じ製本条件の入力終了を待って（ステップｓ１３）、中綴じ製本モードをスタートし（ステップｓ１４）、中綴じされた冊子が得られるとともに、冊子への挿入紙の挿入がなされる。挿入紙挿入後は、冊子サイズ条件で制御が行われ（ステップｓ１５）、搬送条件が冊子サイズ基準で行われるなどして、処理を終了する。搬送条件としては、例えば、ＪＡＭ検知までの時間を冊子サイズを基準にして再設定する。
【００４８】
以上、本発明について上記実施形態に基づいて説明を行ったが、本発明は、上記実施形態の内容に限定されるものではなく、本発明の範囲を逸脱しない限りは適宜の変更が可能である。
【符号の説明】
【００４９】
Ａ  画像形成装置
Ｃ  中綴じ製本機
３  操作部
４  制御部
５  挿入紙トレイ
６  挿入紙トレイ
３０  折り機構
６０  中綴じ機構
７０  冊子取り出し機構
９０  小口断裁装置
【図１】
0005423996.tif 000002
【図２】
0005423996.tif 000003
【図３】
0005423996.tif 000004
【図４】
0005423996.tif 000005
【図５】
0005423996.tif 000006
【図６】
0005423996.tif 000007
【図７】
0005423996.tif 000008
【図８】
0005423996.tif 000009
【図９】
0005423996.tif 000010